(57)【要約】  単位用量板紙パッケージは、外側板紙スリーブと、外側スリーブ内にロック可能に保持された内側板紙スライドカードとを含む。外側スリーブは、複数のパネルを含み、前記複数のパネルは、複数のパネルのうちの上部パネルが、当該上部パネル上に画定された内側スライドカード保持開口部および内側スライドカード解放ボタンを含むように、互いに動作可能に接続される。内側スライドカードは、内側スライドカード保持解放パネルを含む。スライドカード解放ボタンは、スリーブにおける切込みによって画定された長手方向に延在するタブを含み、切込みの両端間にタブの根元を備え、タブの根元の反対側に可動のタブ縁部を備える。カード保持開口部は、第１の方向に可動のタブ縁部を過ぎて長手方向に延在するが、第１の方向と反対の第２の方向にはタブの根元を過ぎて長手方向に延在していない。
2021512020.tif 000002
【特許請求の範囲】
【請求項１】
ロック機能を有する単位用量板紙パッケージであって、
外側板紙スリーブと、前記外側スリーブ内にロック可能に保持された内側板紙スライドカードとを含み、前記外側スリーブは、複数のパネルを含み、前記複数のパネルは、複数のパネルのうちの上部パネルが、当該上部パネル上に画定された内側スライドカード保持開口部および内側スライドカード解放ボタンを含むように、互いに動作可能に接続され、
前記内側スライドカードは、１つ以上の単位用量分配ブリスタと、前記１つ以上の単位用量分配ブリスタに隣接して位置する内側スライドカード保持解放パネルとを含み、
前記スライドカード解放ボタンは、前記スリーブにおける切込みによって画定された長手方向に延在するタブを含み、前記切込みの両端間に前記タブの根元を備え、前記タブの前記根元の反対側に可動のタブ縁部を備え、前記カード保持開口部は、第１の方向に前記可動のタブ縁部を過ぎて長手方向に延在するが、前記第１の方向と反対の第２の方向には前記タブの前記根元を過ぎて長手方向に延在していない、単位用量板紙パッケージ。
【請求項２】
前記長手方向に延在するタブは、前記可動のタブ縁部から前記タブの前記根元まで長手方向に延在する長さを有し、前記カード保持開口部は、前記可動のタブ縁部から前記根元の方向へと、前記タブの前記長さの半分未満を前記長手方向に延在する、請求項１に記載のパッケージ。
【請求項３】
前記カード保持開口部は、そのいずれの横方向端部においても横方向に延在する翼部分において終了する、請求項１または２に記載のパッケージ。
【請求項４】
前記上部パネルは、複数の層を含み、前記カード保持開口部は、前記複数の層のうちの内側層において開口部として画定され、前記スライドカード解放ボタンの前記タブは、前記複数の層のうちの外側層において画定される、請求項１から３のいずれか一項に記載のパッケージ。
【請求項５】
前記カード保持開口部は、前記ボタンを押下せずに前記スライドカードを外すことができないように、前記内側スライドカード保持解放パネルに係合するように構成された捕捉縁部を含み、前記内側スライドカード保持開口部は、前記捕捉縁部の反対側にボタン縁部を含み、前記ボタン縁部は、前記スライドカード解放ボタンの前記可動のタブ縁部の輪郭に合致する、請求項１から４のいずれか一項に記載のパッケージ。
【請求項６】
前記長手方向に延在するタブを画定する前記切込みは、前記長手方向に延在するタブの側方縁部を画定する１対の離間された長手方向に延在する側方部分を含み、前記カード保持開口部の前記ボタン縁部は、前記可動のタブ縁部と合致するとともに、前記タブの前記側方縁部の一部と合致する、請求項５に記載のパッケージ。
【請求項７】
前記長手方向に延在するタブを画定する前記切込みの側方部分は、それぞれ、ｕ字形の終端部において終了する、請求項１から６のいずれか一項に記載のパッケージ。
【請求項８】
前記内側スライドカード保持解放パネルは、折り目に沿って前記内側スライドカードにヒンジ式に取り付けられ、前記スライドカード保持開口部の前記捕捉縁部に係合して、前記ボタンが押下されない限り前記内側スライドカードを外せないようにする捕捉縁部を、前記折り目の反対側に備える、請求項１から７のいずれか一項に記載のパッケージ。
【請求項９】
前記ボタンおよびカード保持開口部は、前記ボタンを直接押すことにより、前記内側スライドカードが解放されるように構成され、前記ボタン上を押すのではなく前記ボタンの近傍を押して前記内側スライドカードを解放することは阻止される、請求項１から８のいずれか一項に記載のパッケージ。
【請求項１０】
１つ以上の単位用量分配ブリスタを備える内側スライドカードを受け入れるためのスリーブを形成するように、互いに動作可能に接続された複数のパネルを含み、前記パネルのうちの上部パネルは、当該上部パネル上に画定された内側スライドカード保持開口部および内側スライドカード解放ボタンを含む、単位用量板紙パッケージのための外側板紙スリーブのためのブランクであって、
前記スライドカード解放ボタンは、前記スリーブにおける切込みによって画定された長手方向に延在するタブを含み、前記切込みの両端間に前記タブの根元を備え、前記タブの前記根元の反対側に可動のタブ縁部を備え、前記カード保持開口部は、第１の方向に前記可動のタブ縁部を過ぎて長手方向に延在するが、前記第１の方向と反対の第２の方向には前記タブの前記根元を過ぎて長手方向に延在していない、ブランク。
【請求項１１】
前記長手方向に延在するタブは、前記可動のタブ縁部から前記タブの前記根元まで、長手方向に延在する長さを有し、前記カード保持開口部は、前記可動のタブ縁部から前記根元の方向へと、前記タブの前記長さの半分未満を前記長手方向に延在する、請求項１０に記載のブランク。
【請求項１２】
前記カード保持開口部は、そのいずれの横方向端部においても横方向に延在する翼部分において終了する、請求項１０または１１に記載のブランク。
【請求項１３】
前記上部パネルは、各折り目によって前記複数のパネルと共に接続される複数の層を含み、前記内側カード保持開口部は、前記複数の層のうちの内側層において開口部として画定され、前記スライドカード解放ボタンの前記タブは、前記複数の層のうちの外側層において画定される、請求項１０から１２のいずれか一項に記載のブランク。
【請求項１４】
前記カード保持開口部は、前記ボタンを押下せずに前記スライドカードを外すことができないように、内側スライドカード保持解放パネルに係合するように構成された捕捉縁部を含み、前記カード保持開口部は、前記捕捉縁部の反対側にボタン縁部を含み、前記ボタン縁部は、前記スライドカード解放ボタンの前記可動のタブ縁部の輪郭に合致する、請求項１０から１３のいずれか一項に記載のブランク。
【請求項１５】
前記長手方向に延在するタブを画定する前記切込みは、前記長手方向に延在するタブの側方縁部を画定する１対の離間された長手方向に延在する側方部分を含み、前記カード保持開口部の前記ボタン縁部は、前記可動のタブ縁部と合致するとともに、前記タブの前記側方縁部の一部と合致する、請求項１４に記載のブランク。
【請求項１６】
前記長手方向に延在するタブを画定する前記切込みの側方部分は、それぞれ、ｕ字形の終端部において終了する、請求項１０から１５のいずれか一項に記載のブランク。
【請求項１７】
前記ボタンおよびカード保持開口部は、折り目に沿って前記内側スライドカードにヒンジ式に取り付けられるとともに前記折り目の反対側に捕捉縁部を有する内側スライドカード保持解放パネルが、前記スライドカード保持開口部の前記捕捉縁部に係合して、前記ボタンが押下されない限り前記内側スライドカードを外せないようにすることができるように構成される、請求項１０から１６のいずれか一項に記載のブランク。
【請求項１８】
前記ボタンおよびカード保持開口部は、前記ボタンを直接押すことにより、前記内側スライドカードが解放されるように構成され、前記ボタン上を押すのではなく前記ボタンの近傍を押して前記内側スライドカードを解放することは阻止される、請求項１０から１７のいずれか一項に記載のブランク。
【発明の詳細な説明】
【技術分野】
【０００１】
関連出願の相互参照
本出願は、２０１８年２月１日に出願された米国特許仮出願第６２／６２４８５３号の米国特許法第１１９条（ｅ）の下における優先権の利益を主張するものであり、その全体を参照により本明細書に組み込む。
【０００２】
本開示は、単位用量包装システム（ＵＤＰＳ：  ｕｎｉｔ  ｄｏｓｅ  ｐａｃｋａｇｉｎｇ  ｓｙｓｔｅｍ）に関し、より詳細には、チャイルドレジスタントＵＤＰＳに関する。
【背景技術】
【０００３】
チャイルドレジスタント単位用量包装システムは、スリーブからブリスタパックを解放するために、外側スリーブ上のボタンまたはタブを押す必要がある。ブリスタがスリーブから離れると、一回量を押すことによって一回量をブリスタから外すことができる。ブリスタから製品を実際に取得するのに必要な複数のステップが、子供にブリスタパックから製品を外そうとする気持ちをなくさせ、かつ／または阻止することができる。
【０００４】
従来のチャイルドレジスタント単位用量包装システムでは、実際のボタンの近傍、またはその付近を押すことにより、ブリスタパックをスリーブから解放することが可能であり、それは、いくつかの設計では、より厳格なチャイルドプルーフ規格を満たさない可能性がある。
【発明の概要】
【発明が解決しようとする課題】
【０００５】
従来の技法は、それらの意図する目的を満足するものであると考えられてきた。しかし、向上させた単位用量包装システムが、絶えず求められている。本開示は、この必要性に対する解決策を提供する。
【課題を解決するための手段】
【０００６】
ロック機能を有する単位用量板紙パッケージは、外側板紙スリーブと、外側スリーブ内にロック可能に保持された内側板紙スライドカードとを含み、外側スリーブは、複数のパネルを含み、前記複数のパネルは、複数のパネルのうちの上部パネルが、当該上部パネル上に画定された内側スライドカード保持開口部および内側スライドカード解放ボタンを含むように、互いに動作可能に接続される。内側スライドカードは、１つ以上の単位用量分配ブリスタと、１つ以上の単位用量分配ブリスタに隣接して位置する内側スライドカード保持解放パネルとを含む。スライドカード解放ボタンは、スリーブにおける切込みによって画定された長手方向に延在するタブを含み、切込みの両端間にタブの根元を備え、タブの根元の反対側に可動のタブ縁部を備える。カード保持開口部は、第１の方向に可動のタブ縁部を過ぎて長手方向に延在するが、第１の方向と反対の第２の方向にはタブの根元を過ぎて長手方向に延在していない。
【０００７】
長手方向に延在するタブは、可動のタブ縁部からタブの根元まで、長手方向に延在する長さを有することができ、カード保持開口部は、可動のタブ縁部から根元の方向へと、タブの長さの半分未満を長手方向に延在することができる。カード保持開口部は、そのいずれの横方向端部においても横方向に延在する翼部分において終了することができる。上部パネルは、例えば折り目に沿って複数のパネルと共に接続された複数の層を含むことができ、カード保持開口部は、複数の層のうちの内側層において開口部として画定され、スライドカード解放ボタンのタブは、複数の層のうちの外側層において画定される。
【０００８】
カード保持開口部は、ボタンを押下せずにスライドカードを外すことができないように、内側スライドカード保持解放パネルに係合するように構成された捕捉縁部を含むことができ、内側スライドカード保持開口部は、捕捉縁部の反対側にボタン縁部を含むことができ、ボタン縁部は、スライドカード解放ボタンの可動のタブ縁部の輪郭に合致する。長手方向に延在するタブを画定する切込みは、長手方向に延在するタブの側方縁部を画定する１対の離間された長手方向に延在する側方部分を含むことができ、カード保持開口部のボタン縁部は、可動のタブ縁部と合致するとともに、タブの側方縁部の一部と合致する。長手方向に延在するタブを画定する切込みの側方部分は、それぞれ、ｕ字形の終端部において終了することができる。内側スライドカード保持解放パネルは、折り目に沿って内側スライドカードにヒンジ式に取り付けることができ、スライドカード保持開口部の捕捉縁部に係合して、ボタンが押下されない限り内側スライドカードを外せないようにする捕捉縁部を、折り目の反対側に備える。ボタンおよびカード保持開口部は、ボタンを直接押すことにより内側スライドカードが解放されるように構成することができ、ボタン上を押すのではなくボタンの近傍を押して内側スライドカードを解放することが阻止される。
【０００９】
単位用量板紙パッケージのための外側板紙スリーブのためのブランクは、１つ以上の単位用量分配ブリスタを備える内側スライドカードを受け入れるためのスリーブを形成するように、互いに動作可能に接続された複数のパネルを含み、パネルのうちの上部パネルは、当該上部パネル上に画定された内側スライドカード保持開口部および内側スライドカード解放ボタンを含む。上部パネルは、カード保持開口部と、上記で述べた長手方向に延在するタブを備えた解放ボタンとを含む。
【００１０】
本開示のシステムおよび方法のこれらの、および他の特徴は、当業者であれば、図面と併せて行われる好ましい実施形態の以下の詳細な説明からさらに容易に明らかになろう。
【００１１】
本開示に関連する当業者が、必要以上に実験をすることなく、本開示のデバイスおよび方法をどのように製作し、使用するかを容易に理解するように、その好ましい実施形態が、いくつかの図を参照して本明細書において以下で詳細に述べられる。
【図面の簡単な説明】
【００１２】
【図１】内側スライドカードがスリーブの内部に収納された状態で組み立てられた外側スリーブおよび内側スライドカードを示す、本開示に従って構築された単位用量板紙パッケージの例示的な実施形態の斜視図である。
【図２】その内容物にアクセスするためにスリーブから展開された内側スライドカードを示す、図１のスリーブおよび内側スライドカードの斜視部分断面図である。
【図３】内側スライドカードのないスリーブを示す、図１のスリーブの斜視部分断面図である。
【図４】ボタンおよびカード保持開口部を備えるパネルを示す、図３のスリーブのためのブランクの平面図である。
【図５】部分的に隠れ線で示されたカード保持開口部と共にボタンを示す、図１のスリーブの一部の部分的な破断平面図である。
【図６】内側スライドカードの保持解放パネルを示す、図１の内側スライドカードの斜視図である。
【発明を実施するための形態】
【００１３】
次に図面への参照を行うものとし、図中、同様の参照数字は、本開示の同様の構造特徴または態様を識別する。限定のためではなく、説明および例示のために、本開示によるパッケージの例示的な実施形態の部分図が図１で示され、全体的に、参照記号１００により示される。本開示によるパッケージの他の実施形態、またはその態様は、後で述べるように図２〜図６で提供される。本明細書で述べられるシステムおよび方法は、チャイルドプルーフなどのため、薬剤などに対する単位用量包装システムにおける内容物にアクセスできないようにするために使用され得る。
【００１４】
米国特許第６，０４７，８２９号は、その全体を本明細書に参照により組み込まれる。それは、単位用量包装システム（ＵＰＤＳ）の説明を提供し、外側スリーブへと組み立てられる板紙ブランクから、このようなパッケージをどのように形成するかの説明を提供し、内側スライドカードをどのように形成するかの説明を提供し、かつどのようにして内側スライドカードを外側スリーブの中に組み込み、内側スライドカードの閉位置におけるロック機構および外側スリーブまたはシェルから内側スライドカードを完全に外せないようにする機構を提供するかの説明を提供する。
【００１５】
次に図１を参照すると、本開示によるロック機能を備える単位用量板紙パッケージ１００は、外側板紙スリーブ１０２と、外側スリーブ１０２内でロック可能に保持される内側板紙スライドカード１０４とを含む。図１で示された閉位置では、図２で示される開位置においてスライドカード１０４の内容物にアクセスすべくスライドカード１０４のロックを解除するためには、ボタン１２０が押下される必要がある。この開位置では、例えばスライドカード１０４の複数の単位用量分配ブリスタ１０８内に含まれる、内側スライドカード１０４の内容物にはアクセスすることができるが、スライドカード１０４は、スリーブ１０２の開いた端部においてスライドカード１０４を保持する、以下で述べる第２のロック機構に起因して、スリーブ１０２から完全に外すことはできない。
【００１６】
図３を次に参照すると、スリーブ１０２は、互いに動作可能に接続された、例えば、パネル１１０、１１２、１１４、および１１６など、複数のパネルを含み、上部パネル１１０は、当該上部パネル１１０上に画定された内側スライドカード保持開口部１１８（図３では隠れ線で示されている）と、内側スライドカード解放ボタン１２０とを含むようにする。上部パネル１１０は、例えば、図４で示される折り目１３０に沿って複数のパネル１１０、１１２、１１４、および１１６と共に接続された、複数の層１２２および１２４を含み、図４は、スリーブ１０２を形成するためのブランク１０１を示す。カード保持開口部１１８は、上部パネル１１０の内側層１２４における、例えば、切り抜きなど、開口部として画定される。スリーブ１０２が図３で示されるように組み立てられたときにボタン１２０の下に位置するカード保持開口部１１８に向かって延在する長手方向の折じわ１２５が、図４で方向付けられるように上部パネル１１０の下側に形成されている。スライドカード解放ボタン１２０は、スリーブ１０２の上部パネル１１０の外側層１２２における切込み１２８により画定された長手方向に延在するタブ１２６を含む。
【００１７】
次に図５を参照すると、タブ１２６は、切込み１２８の端部１３４の間に、タブ１２６の根元１３２を含む。タブ１２６は、タブ１２６の根元１３２の反対側に可動のタブ縁部１３６を含む。長手方向に延在するタブ１２６を画定する切込み１２８は、長手方向に延在するタブ１２６の側方縁部を画定する１対の離間された長手方向に延在する側方部分１３８を含む。切込み１２８の側方部分１３８は、それぞれ、ｕ字形の終端部１４０で終了する。
【００１８】
長手方向に延在するタブは、可動のタブ縁部１３６からタブ１２６の根元１３２まで、例えば、長手方向軸Ａに沿って、長手方向に延在する長さＬを有することができる。カード保持開口部１１８は、図５において長さｄ１により示されるように、第１の方向に可動のタブ縁部１３６を過ぎて長手方向に延在するが、図５の長さｄ２により示されるように、第１の方向と反対の第２の方向には、タブ１２６の根元１３２を過ぎて長手方向に延在していない。カード保持開口部１１８は、可動のタブ縁部１３６から、根元１３２の方向にタブ１２６の長さＬの半分未満を長手方向に延在する、すなわち、ｄ２＜０．５Ｌである。例えば、ｄ２はＬの４０％とすることができる。カード保持開口部１１８は、そのいずれの横方向端部においても横方向に延在する翼部分１４２において終了する。
【００１９】
図６を次に参照すると、内側スライドカード１０４は、単位用量分配ブリスタ１０８に隣接して位置する内側スライドカード保持解放パネル１４６を含む。内側スライドカード保持解放パネル１４６は、折り目１４８に沿って、内側スライドカード１０４の主パネル１５０にヒンジ式に取り付けられる。保持解放パネル１４６は、スライドカード保持開口部１１８の捕捉縁部１５４（図５で識別される）に係合して、ボタン１２０が押下されない限り内側スライドカード１０４を外せないようにする捕捉縁部１５２を、折り目１４８の反対側に含む。内側スライドカード１０４はまた、第２のパネル１５６を含み、それは、さらなる単位用量分配ブリスタ１０８を含み、折り目１５８により主パネル１５０に接続される。
【００２０】
図５を再度参照すると、内側スライドカード保持開口部１１８は、捕捉縁部１５４の反対側にボタン縁部１６０を含む。ボタン縁部１６０は、スライドカード解放ボタン１２０の可動のタブ縁部１３６の輪郭に、かつタブ１２６の側方縁部１３８の一部に合致する。ボタン１２０およびカード保持開口部１１８は、それが図１で示される閉じられたロック位置にあるとき、ボタン１２０を直接押すことにより、内側スライドカード１０４が解放されるように構成され、したがって、内側スライドカードは、例えば内側スライドカード１０４の捕捉縁部１５２を下げて、スリーブ１０２の捕捉縁部１５４から離すことにより、図２で示される開位置へと開くことができる。ボタン１２０ではなく、例えば、図５において概略的に示された領域１６２の位置を押すなど、ボタン１２０の近傍を押した場合の内側スライドカードの解放は阻止される。
【００２１】
図２で示された開位置にあるとき、スリーブ１０２の延長パネル１６４は、スライドカード１０４の保持解放パネル１４６と相互にロックされ、スリーブ１０２から、スライドカード１０４が完全に外れないようにする。このことは、米国特許第６，０４７，８２９号に詳しく記載されている。本開示の利益および米国特許第６，０４７，８２９号の利益を有する当業者であれば、本開示に従って、ロック位置にあるとき、向上させたボタン１２０を直接押すことによって、スライドカード１０４へのアクセスのロックを解除するようにするために、図４のブランク１０１をスリーブ１０２へとどのように組み立てるか、スライドカード１０４をどのように組み立てるか、かつスライドカード１０４をスリーブ１０２の中にどのように組み込むかを容易に理解されよう。ボタン１２０を直接押すことは、内側スライドカード１０４を解放するために必要であるので、従来の構成と比較して、ボタンを押すことがよりフォーカスされ、意図しない開放を向上させ、チャイルドプルーフを向上させる。本明細書で開示されるボタンおよび開口部構成はまた、従来の構成と比較して、非常に強く押されたときにも、より強力であり、破れる可能性が低い。
【００２２】
本開示の方法およびシステムは、上記で述べ、図面で示されたように、チャイルドプルーフ、および耐久性を含む優れた特性を備えた単位用量パッケージを提供する。本開示の装置および方法は、好ましい実施形態を参照して示され、述べられてきたが、当業者であれば、本開示の範囲から逸脱することなく、変更および／または修正をそれに対して行えることが容易に理解されよう。
【符号の説明】
【００２３】
１００  単位用量板紙パッケージ
１０１  ブランク
１０２  外側板紙スリーブ
１０４  内側板紙スライドカード
１０８  単位用量分配ブリスタ
１１０  上部パネル
１１２  パネル
１１４  パネル
１１６  パネル
１１８  内側スライドカード保持開口部
１２０  内側スライドカード解放ボタン
１２２  外側層
１２４  内側層
１２５  折じわ
１２６  タブ
１２８  切込み
１３０  折り目
１３２  根元
１３４  端部
１３６  可動のタブ縁部
１３８  側方部分、側方縁部
１４０  終端部
１４２  翼部分
１４６  内側スライドカード保持解放パネル
１４８  折り目
１５０  主パネル
１５２  捕捉縁部
１５４  捕捉縁部
１５６  第２のパネル
１５８  折り目
１６０  ボタン縁部
１６２  領域
１６４  延長パネル
Ａ  長手方向軸
ｄ１  長さ
ｄ２  長さ
Ｌ  長さ
【図１】
2021512020.tif 000003
【図２】
2021512020.tif 000004
【図３】
2021512020.tif 000005
【図４】
2021512020.tif 000006
【図５】
2021512020.tif 000007
【図６】
2021512020.tif 000008
【国際調査報告】
2021512020.tif 000009
2021512020.tif 000010